(57)【特許請求の範囲】
【請求項１】
外周側の目盛、数字等からなる表示部を有する第１の領域と、上記第１の領域以外の第２の領域とを有する、透明基材からなる文字板であって、
上記透明基材は、一方の面における上記第１の領域に対応する部分に、複数の第１の網点を等ピッチで網目状に規則的に配列した第１模様が印刷により形成され、他方の面における上記第１の領域に対応する部分に、複数の第２の網点を等ピッチで網目状に規則的に配列した第２模様が印刷により形成されると共に、一方の面における上記第２の領域に対応する部分に、複数の第３の網点を上記第１の網点間のピッチと異なる等ピッチで網目状に規則的に配列した第３模様が印刷により形成され、他方の面における上記第２の領域に対応する部分に、上記第３模様と共にステレオグラムとして立体視可能なステレオグラムパターンを構成する、複数の第４の網点を上記第２の網点のピッチと異なる等ピッチで網目状に規則的に配列した第４模様が印刷により形成されている
ことを特徴とする文字板。
【請求項２】
前記第２模様は、上記第１模様と共にステレオグラムとして立体視可能なステレオグラムパターンを構成する
ことを特徴とする請求項１記載の文字板。
【請求項３】
外周側の目盛、数字等からなる表示部を有する第１の領域と、上記第１の領域以外の第２の領域とを有する、透明性基材からなる文字板であって、
上記透明基材は、その一方の面のうち上記第１の領域に対応する部分には、複数の第１の網点を等ピッチで網目状に規則的に配列した第１模様が印刷により形成されており、その他方の面のうち上記第１の領域に対応する部分には、複数の第２の網点を等ピッチで網目状に規則的に配列した第２模様が印刷により形成されていると共に、その表面のうち上記第２の領域に対応する部分には、複数の第３の網点を前記文字板の外周から中心に向かう方向へ次第にピッチが小さくまたは大きくなるように網目状に規則的に配列した第３模様が、グラディエーション印刷により形成されており、その他方の面のうち上記第２の領域に対応する部分には、複数の第４の網点を前記文字板の外周から中心に向かう方向へ次第にピッチが小さくまたは大きくなるように網目状に規則的に配列した第４模様が、グラディエーション印刷により形成されており、
上記第４模様は、上記第３模様と共にステレオグラムとして立体視可能なステレオグラムパターンを構成する
ことを特徴とする文字板。
【請求項４】
外周側の目盛、数字等からなる表示部を有する第１の領域と、上記第１の領域以外の第２の領域とを有する、透明性基材からなる文字板であって、
上記透明基材は、その一方の面のうち上記第１の領域に対応する部分には、複数の第１の網点を前記文字板の外周から中心に向かう方向へ次第にピッチが小さくまたは大きくなるように網目状に規則的に配列した第１模様が、グラディエーション印刷により形成されており、その他方の面のうち上記第１の領域に対応する部分には、複数の第２の網点を前記文字板の外周から中心に向かう方向へ次第にピッチが小さくまたは大きくなるように網目状に規則的に配列した第２模様が、グラディエーション印刷により形成されていると共に、その表面のうち上記第２の領域に対応する部分には、複数の第３の網点を前記文字板の外周から中心に向かう方向へ次第にピッチが小さくまたは大きくなるように網目状に規則的に配列した第３模様が、グラディエーション印刷により形成されており、その他方の面のうち上記第２の領域に対応する部分には、複数の第４の網点を前記文字板の外周から中心に向かう方向へ次第にピッチが小さくまたは大きくなるように網目状に規則的に配列した第４模様が、グラディエーション印刷により形成されており、
上記第２模様は上記第１模様と共に、上記第４模様は上記第３模様と共に、それぞれ、ステレオグラムとして立体視可能なステレオグラムパターンを構成する
ことを特徴とする文字板。
【請求項５】
外周側の目盛、数字等からなる表示部を有する、透明基材からなる文字板であって、
上記透明基材は、外側から中心に向けて同心円的境界線で区切られる複数の領域を有し、その一方の面には、上記複数の領域の全域にわたって所定のスクリン線数を有する模様が形成されていると共に、その他方の面には、上記複数の領域に、それぞれ、順次上記所定のスクリン線数より次第に減少または増加するスクリン線数を有し、上記模様に対してモアレ現象によるモアレ模様を発生させる模様が形成されている
ことを特徴とする文字板。
【請求項６】
前記文字板の中心から外周方向に行くにしたがって前記モアレ模様の大きさおよびモアレ模様間のピッチを変化させるように構成されている
ことを特徴とする請求項５記載の文字板。
【発明の詳細な説明】
【０００１】
【発明の属する技術分野】
本発明は、視覚的に立体感を持たせることができる文字板に関するものである。
【０００２】
【従来の技術】
文字板に視覚的に立体感を持たせることができる技術はいくつか発表されており、たとえば、特開平１１−１１９６６２号公報に開示されている技術がある。
【０００３】
この技術は、図３７および図３８に示すように、透過性の平面基材１の表面に、透過性塗料により下地印刷層２を形成し、この下地印刷層２の表面に、目盛、数字、記号等の表示３を除いて、半透明性塗料による意匠印刷層４を施し、さらに意匠印刷層４の表面を複数の表示領域Ａ，Ｂ，Ｃに定め、これらの表示領域内に、明度が一方向から他方に向かって徐々に暗変化する第１のグラディエーションと明度が一方向から他方に向かって明変化する第２のグラディエーションとが交互となるグラディエーション印刷層５を施したものである。
【０００４】
すなわち、表示領域Ａには、その斜め左上から斜め右下にかけて明度が徐々に暗変化する第１のグラディエーションを、また表示領域Ｂにはその斜め左上から斜め右下にかけて明度が徐々に明変化する第２のグラディエーションを、さらに表示領域Ｃには、上記第１のグラディエーションと同様のパターンである第１のグラディエーションを施している。これらの第１のグラディエーションおよび第２のグラディエーションからなるグラディエーション印刷層５は、たとえばスクリーン印刷手法等の採用により一回の印刷工程で層成することができる。
【０００５】
【発明が解決しようとする課題】
しかしながら、グラディエーション印刷による見かけ上の陰影では、見方によっては立体的に見えない場合も発生する。
【０００６】
そこで、本発明の目的は、安価な印刷を利用して立体感を得る斬新な意匠を実現できる文字板を提供することにある。
【０００７】
【課題を解決するための手段】
上記した目的に鑑みて、請求項１記載の発明の文字板は、透明基材からなる文字板であって、上記透明基材は、一方の面における上記第１の領域に対応する部分に、複数の第１の網点を等ピッチで網目状に規則的に配列した第１模様が印刷により形成され、他方の面における上記第１の領域に対応する部分に、複数の第２の網点を等ピッチで網目状に規則的に配列した第２模様が印刷により形成されると共に、一方の面における上記第２の領域に対応する部分に、複数の第３の網点を上記第１の網点間のピッチと異なる等ピッチで網目状に規則的に配列した第３模様が印刷により形成され、他方の面における上記第２の領域に対応する部分に、上記第３模様と共にステレオグラムとして立体視可能なステレオグラムパターンを構成する、複数の第４の網点を上記第２の網点のピッチと異なる等ピッチで網目状に規則的に配列した第４模様が印刷により形成されていることを特徴とする。
【０００８】
請求項１記載の発明によれば、文字板は、透明基材からなる文字板であって、透明基材は、一方の面における第１の領域に対応する部分に、複数の第１の網点を等ピッチで網目状に規則的に配列した第１模様が印刷により形成され、他方の面における第１の領域に対応する部分に、複数の第２の網点を等ピッチで網目状に規則的に配列した第２模様が印刷により形成されると共に、一方の面における第２の領域に対応する部分に、複数の第３の網点を第１の網点間のピッチと異なる等ピッチで網目状に規則的に配列した第３模様が印刷により形成され、他方の面における第２の領域に対応する部分に、第３模様と共にステレオグラムとして立体視可能なステレオグラムパターンを構成する、複数の第４の網点を第２の網点のピッチと異なる等ピッチで網目状に規則的に配列した第４模様が印刷により形成されている。それにより、文字板の表裏面に施された印刷のみに依り立体感を演出するため、安価に斬新な意匠を実現することができる。第２の領域は、第１の領域より浮き上がったり沈んだりして視認され、斬新な意匠を実現することができる。
【０００９】
また、請求項２記載の発明の文字板は、請求項１記載の発明の文字板において、前記第２模様は、上記第１模様と共にステレオグラムとして立体視可能なステレオグラムパターンを構成することを特徴とする。
【００１５】
また、請求項３記載の発明の文字板は、外周側の目盛、数字等からなる表示部を有する第１の領域と、上記第１の領域以外の第２の領域とを有する、透明性基材からなる文字板であって、上記透明基材は、その一方の面のうち上記第１の領域に対応する部分には、複数の第１の網点を等ピッチで網目状に規則的に配列した第１模様が印刷により形成されており、その他方の面のうち上記第１の領域に対応する部分には、複数の第２の網点を等ピッチで網目状に規則的に配列した第２模様が印刷により形成されていると共に、その表面のうち上記第２の領域に対応する部分には、複数の第３の網点を前記文字板の外周から中心に向かう方向へ次第にピッチが小さくまたは大きくなるように網目状に規則的に配列した第３模様が、グラディエーション印刷により形成されており、その他方の面のうち上記第２の領域に対応する部分には、複数の第４の網点を前記文字板の外周から中心に向かう方向へ次第にピッチが小さくまたは大きくなるように網目状に規則的に配列した第４模様が、グラディエーション印刷により形成されており、上記第４模様は、上記第３模様と共にステレオグラムとして立体視可能なステレオグラムパターンを構成することを特徴とする。
【００１６】
請求項３記載の発明によれば、外周側の目盛、数字等からなる表示部を有する第１の領域と、第１の領域以外の第２の領域とを有する、透明性基材からなる文字板であって、透明基材は、その一方の面のうち第１の領域に対応する部分には、複数の第１の網点を等ピッチで網目状に規則的に配列した第１模様が印刷により形成されており、その他方の面のうち第１の領域に対応する部分には、複数の第２の網点を等ピッチで網目状に規則的に配列した第２模様が印刷により形成されていると共に、その表面のうち第２の領域に対応する部分には、複数の第３の網点を文字板の外周から中心に向かう方向へ次第にピッチが小さくまたは大きくなるように網目状に規則的に配列した第３模様が、グラディエーション印刷により形成されており、その他方の面のうち第２の領域に対応する部分には、複数の第４の網点を文字板の外周から中心に向かう方向へ次第にピッチが小さくまたは大きくなるように網目状に規則的に配列した第４模様が、グラディエーション印刷により形成されており、第４模様は、第３模様と共にステレオグラムとして立体視可能なステレオグラムパターンを構成する。それにより、安価な印刷により立体感にグラディエーション変化を付加することができる。
【００１７】
また、請求項４記載の発明の文字板は、外周側の目盛、数字等からなる表示部を有する第１の領域と、上記第１の領域以外の第２の領域とを有する、透明性基材からなる文字板であって、上記透明基材は、その一方の面のうち上記第１の領域に対応する部分には、複数の第１の網点を前記文字板の外周から中心に向かう方向へ次第にピッチが小さくまたは大きくなるように網目状に規則的に配列した第１模様が、グラディエーション印刷により形成されており、その他方の面のうち上記第１の領域に対応する部分には、複数の第２の網点を前記文字板の外周から中心に向かう方向へ次第にピッチが小さくまたは大きくなるように網目状に規則的に配列した第２模様が、グラディエーション印刷により形成されていると共に、その表面のうち上記第２の領域に対応する部分には、複数の第３の網点を前記文字板の外周から中心に向かう方向へ次第にピッチが小さくまたは大きくなるように網目状に規則的に配列した第３模様が、グラディエーション印刷により形成されており、その他方の面のうち上記第２の領域に対応する部分には、複数の第４の網点を前記文字板の外周から中心に向かう方向へ次第にピッチが小さくまたは大きくなるように網目状に規則的に配列した第４模様が、グラディエーション印刷により形成されており、上記第２模様は上記第１模様と共に、上記第４模様は上記第３模様と共に、それぞれ、ステレオグラムとして立体視可能なステレオグラムパターンを構成することを特徴とする。
【００２１】
また、請求項５記載の発明の文字板は、外周側の目盛、数字等からなる表示部を有する、透明基材からなる文字板であって、上記透明基材は、外側から中心に向けて同心円的境界線で区切られる複数の領域を有し、その一方の面には、上記複数の領域の全域にわたって所定のスクリン線数を有する模様が形成されていると共に、その他方の面には、上記複数の領域に、それぞれ、順次上記所定のスクリン線数より次第に減少または増加するスクリン線数を有し、上記模様に対してモアレ現象によるモアレ模様を発生させる模様が形成されていることを特徴とする。
【００２２】
請求項５記載の発明によれば、文字板の表裏面に施された印刷のみに依りモアレ現象に基づく立体感を演出するため、安価に斬新な意匠を実現することができる。
【００２３】
また、請求項６記載の発明の文字板は、請求項５記載の発明の文字板において、前記文字板の中心から外周方向に行くにしたがって前記モアレ模様の大きさおよびモアレ模様間のピッチを変化させるように構成されていることを特徴とする。
【００２４】
請求項６記載の発明によれば、文字板の中心から外周方向に行くにしたがってモアレ模様の大きさおよびモアレ模様間のピッチを変化させるように構成されている。それにより、モアレ模様による立体感を、よりグラディエーションさを増した形で出すことができる。
【００２５】
【発明の実施の形態】
以下、本発明による文字板の実施形態を、図面を参照して説明する。
【００２６】
図１は、本発明による文字板の第１の実施形態を適用した車両用計器の断面図である。図１において、車両用計器１は、たとえば速度計であり、バルブ（図示しない）から出射された光を導く導光板２と、この導光板２の背面側に配置されたムーブメント３と、導光板２の前方に配置された文字板４と、導光板２の略円錐状の通孔２ａおよび文字板４の通孔４ａを貫通したムーブメント３の出力軸３ａの先端に基部５ａが取り付けられた透光性の指針５とからなる。
【００２７】
そして、文字板４は、図２の平面図に示すように、透明性基材６により円盤状に形成されており、外周側の目盛７ａ、数字７ｂ等からなる表示部７を有する第１の領域４Ａと、内周側、すなわち第１の領域４Ａと通孔４ａ間の第２の領域４Ｂとを有する。表示部７は、文字板４の指示範囲に応じて円弧状又は円環状に配置されている。
【００２８】
また、文字板４は、図３の要部拡大横断面図で示すように、透明性基材６の表面６ａのうち第１の領域４Ａに対応する部分には、複数の正円形の網点８ａを等ピッチで網目状に規則的に配列した黒色の第１模様８が印刷により形成されており、裏面６ｂのうち第１の領域４Ａに対応する部分には、複数の正円形の網点９ａを等ピッチで網目状に規則的に配列した黒色の第２模様９が印刷により形成されている。
【００２９】
また、透明性基材６の表面６ａのうち第２の領域４Ｂに対応する部分には、複数の正円形の網点１０ａを網点８ａ間のピッチと異なる等ピッチで網目状に規則的に配列した黒色の第３模様１０が印刷により形成されており、透明性基材６の裏面６ｂのうち第２の領域４Ｂに対応する部分には、複数の正円形の網点１１ａを網点９ａのピッチと異なる等ピッチで網目状に規則的に配列した黒色の第４模様１１が印刷により形成されている。
【００３０】
そして、第１実施形態の文字板の第３模様１０および第４模様１１は、左右の目の視差により視認対象物が実際の存在箇所よりも奥又は手前にずれて視認されるステレオグラムの原理を利用した、ステレオグラムパターンを構成している。
【００３１】
即ち、第３模様１０および第４模様１１は、これら第３模様１０および第４模様１１が同一平面に存在する場合には、平行法又は交差法により左右の目の焦点を第３模様１０および第４模様１１の存在平面の奥又は手前にずらさなければならないところを、文字板４の前方の視点（視認箇所に相当）から文字板４を視認する視線の焦点を文字板４の透明性基材６の表面６ａに合わせたままで、文字板４の第２の領域４Ｂが、実際の位置よりも手前にずれて（すなわち、視認個所側にずれて）平坦状に視認されるように構成されている。
【００３２】
さらに、図３に示すように、第２模様９および第４模様１１の上には、透明性基材６の裏面６ｂの全体に亘って、黒色との視覚的な識別の可能な暗色系の色（たとえば灰色や紺色、茶色など）による遮光膜１２が印刷等により形成されており、この遮光膜１２には、指針５により指示される目盛７ａおよび文字７ｂからなる表示部７がスリット状に形成されていて、この目盛り２９ａは、図２に示すように、指針１１による文字板部分１５，１７上の指示範囲に応じて、第２模様２３上に円弧状又は円環状に配置されている。
【００３３】
上述の構成からなる第１実施形態の文字板４では、その前方の視点から、指針５と、文字板４の透明性基材６の表面６ａに形成された第１模様８および第３模様１０とが視認される他、これら第１模様８および第３模様１０の網点２１ａ，２５ａの間から透明性基材６を透して、透明性基材６の裏面６ｂに形成された第２模様９および第４模様１１が視認されることになる。
【００３４】
そして、第１実施形態の文字板４では、第３模様１０および第４模様１１が、視点から文字板４を視認する視線の焦点を文字板４の透明性基材６の表面６ａに合わせたままで、文字板パネル４の第２の領域４Ｂが、実際の位置よりも手前にずれて平坦状に視認されるように構成されていることから、第２の領域４Ｂと第１の領域４Ａとの視覚上の位置関係を示す図４の模式図のように、実際より視認個所側にずれた箇所に位置するように視認される文字板４の第２の領域４Ｂの方が、指針５と共に現実の箇所に位置するように視認される文字板４の第１の領域４Ａよりも、手前に存在するかのごとく立体視される。
【００３５】
即ち、第１の領域４Ａと第２の領域４Ｂとが、実際には同一の文字板４を構成していて、視点からの視認方向において同一の奥行き箇所に位置しているにも拘わらず、視覚上では、第３模様１０および第４模様１１が形成された第２の領域４Ｂが、第１模様８および第２模様９が形成された第１の領域４Ａよりも、手前に存在するかのごとく立体視される。
【００３６】
したがって、現実には構造的な境界線のない文字板４上の第１の領域４Ａと第２領域４Ｂとが、視覚上の段差により区別して認識され、これら第１の領域４Ａと第２領域４Ｂからなる文字板４に立体感が生じることになる。
【００３７】
このように、第１実施形態の文字板によれば、文字板４の第２の領域４Ｂに形成した、透明性基材６の表面６ａ側の第３模様１０および裏面６ｂ側の第４模様１１によりステレオグラムパターンを構成し、このステレオグラムパターンによるステレオグラム作用により、第３模様１０および第４模様１１を形成した第２の領域４Ｂ、すなわち文字板４の中心部の領域が、第１模様８および第２模様９を形成した第１の領域４Ａ、すなわち、文字板４の外側の領域よりも、手前に張り出して存在するかのごとく立体視される構成とした。
【００３８】
このため、透明性基材６という単一部材によって文字板４の第１の領域４Ａと第２の領域４Ｂとの間に視覚上の段差を発生させて立体感を確実にもたせることができる。また、第１模様８乃至第４模様１１の設計を適宜変更したり、状況に応じて第１模様８乃至第４模様１１の一部又は全部を省略又は他の印刷層に置き換えることで、立体感を必要としないグレードの計器との部品の共通化も図ることができる。
【００３９】
なお、上述の第１の実施形態では、図４に示すように、第３模様１０および第４模様１１により、第２の領域４Ｂが実際より手前側（視認個所側）にずれた箇所に位置するように視認されるようなステレオグラム作用を生じるステレオグラムパターンを構成し、これにより、文字板４の第１の領域４Ａに対して、第２の領域４Ｂが、より手前に位置するように視認される構成とした場合について説明した。
【００４０】
しかし、これに限らず、たとえば、第３模様１０および第４模様１１により、第２の領域４Ｂが、実際より奥側（透明性基材６の裏面６ｂより後方側）にずれた箇所に位置するように視認されるステレオグラムを構成し、これにより、図５に模式図で示すように、第１の領域４Ａに対して、第２の領域４Ｂが奥側（透明性基材６の裏面６ｂより後方側）に位置するように視認される構成としても良い。
【００４１】
さらに、第１模様８および第２模様９も、上述の第３模様１０および第４模様１１と同様に、ステレオグラム作用を生じるステレオグラムパターンとし、第１模様８乃至第４模様１１によるステレオグラムパターンの組み合わせにより、第１実施形態のさまざまな変形を構成することができる。この組み合わせの際、第１模様２１および第２模様２３によるステレオグラムパターンと第３模様２５および第４模様２７によるステレオグラムパターンを、ずれて視認される度合いを互いに異ならせたり、同一にしたりするように構成することができる。
【００４２】
たとえば、図６の模式図で示すように、指針５および表示部７のすぐ背後に位置するように視認される第１の領域４Ａに対して、第２の領域４Ｂが指針５および表示部７より、かなり手前側（視認個所に近い側）に位置するように視認される構成としても良い。
【００４３】
また、図７の模式図で示すように、指針５および表示部７より手前側（視認個所に近い側）に位置するように視認される第１の領域４Ａに対して、第２の領域４Ｂが、指針５および表示部７よりかなり後方に位置するように視認される構成としても良い。
【００４４】
また、図８の模式図で示すように、指針５および表示部７よりかなり後方に位置するように視認される第１の領域４Ａに対して、第２の領域４Ｂが、指針５および表示部７のすぐ背後に位置するように視認される構成としても良い。
【００４５】
また、図９の模式図で示すように、指針５および表示部７のすぐ背後に位置するように視認される第１の領域４Ａに対して、第２の領域４Ｂが、指針５および表示部７よりかなり後方に位置するように視認される構成としても良い。
【００４６】
また、図１０の模式図で示すように、指針５および表示部７の手前に位置するように視認される第１の領域４Ａに対して、第２の領域４Ｂが、指針５および表示部７よりかなり後方に位置するように視認される構成としても良い。
【００４７】
また、図１１の模式図で示すように、指針５および表示部７よりかなり手前に位置するように視認される第１の領域４Ａに対して、第２の領域４Ｂが、指針５および表示部７のすぐ背後に位置するように視認される構成としても良い。
【００４８】
さらに、図１２の模式図で示すように、第１の領域４Ａおよび第２の領域４Ｂが、指針５および表示部７より手前に同一平面的に浮かんで視認される構成としても良い。
【００４９】
また、図１３の模式図で示すように、第１の領域４Ａおよび第２の領域４Ｂが、指針５および表示部７より後方に同一平面的に沈んで視認される構成としても良い。
【００５０】
次に、本発明の文字板の第２実施形態について説明する。
【００５１】
この第２実施形態に係る文字板４は、図１４に平面図で示すように、透明性基材６の表面６ａおよび裏面６ｂに形成される第３模様１０および第４模様１１を、文字板４の外周から中心に向かう方向に明度が徐々に暗変化するグラディエーション印刷（換言すると、文字板４の外周から中心に向かう方向に次第にピッチが小さくなっていくように網点１０ａおよび網点１１ａを形成する印刷）により形成している点において、図２および図３に示す第１実施形態の文字板とは構成が異なっており、その他の点については、図２および図３に示す第１実施形態の文字板と同様に構成されている。
【００５２】
このように構成された第２実施形態の文字板４では、図２および図３に示す第１実施形態の文字板４と同様に、ステレオグラム作用により視覚上で、第３模様１０および第４模様１１が形成された文字板４の第２の領域４Ｂが、第１模様８および第２模様９が形成された文字板４の第１の領域４Ａよりも、手前に存在するかのごとく立体視される。
【００５３】
さらに、この文字板４では、第３模様１０をグラディエーション印刷により形成しているので、上述の従来構成におけるグラディエーション印刷の立体視効果による相乗的立体視作用により、図１５に示すように、第２の領域４Ｂは、その外周側から中心方向へ徐々に手前にずれた立体感を得ることができる。
【００５４】
また、第３模様１０および第４模様１１により、第２の領域４Ｂが、実際より奥側（透明性基材６の裏面６ｂより後方側）にずれた箇所に位置するように視認されるステレオグラムパターンを構成し、上述の従来構成におけるグラディエーション印刷の立体視効果による相乗的立体視作用により、図１６の模式図で示すように、第１の領域４Ａに対して、第２の領域４Ｂが、その外周側から中心方向へ徐々に奥側（透明性基材６の裏面６ｂより後方側）に位置するように視認される構成としても良い。
【００５５】
なお、上述の第２の実施形態では、グラディエーション印刷を第３模様１０および第４模様１１だけに施しているが、これに代えて、第１模様８および第３模様１０と、第２模様９および第４模様１１を、それぞれ連続的に文字板４の外周から中心に向かう方向に明度が徐々に暗変化するグラディエーション印刷により形成することができる。この場合も、第１模様８乃至第４模様１１によるステレオグラムパターンの組み合わせにより、さまざまな変形を構成することができる。この組み合わせの際、第１模様８および第２模様９によるステレオグラムパターンと第３模様１０および第４模様１１によるステレオグラムパターンを、ずれて視認される度合いを互いに異ならせたり、同一にしたりするように構成することができる。
【００５６】
たとえば、図１７の模式図で示すように、第１の領域４および第２の領域４Ｂが、指針５および表示部７より手前に位置するように、連続的に外周側から中心方向へ徐々に盛り上がって視認される構成としても良い。
【００５７】
また、図１８の模式図で示すように、第１の領域４Ａの一部が、表示部７のすぐ背後に位置し、かつ、第１の領域４Ａの残りの部分と第２の領域４Ｂが、指針５および表示部７より手前に位置するように、第１の領域４Ａおよび第２の領域４Ｂが、連続的に外周側から中心方向へ徐々に盛り上がって視認される構成としても良い。
【００５８】
また、図１９の模式図で示すように、第１の領域４および第２の領域４Ｂが、指針５および表示部７より後方に位置するように、連続的に外周側から中心方向へ徐々に盛り上がって視認される構成としても良い。
【００５９】
また、図２０の模式図で示すように、第１の領域４および第２の領域４Ｂが、指針５および表示部７より後方に位置するように、連続的に外周側から中心方向へ徐々に沈んで視認される構成としても良い。
【００６０】
また、図２１の模式図で示すように、第１の領域４Ａの一部が、表示部７のすぐ手前に位置し、かつ、第１の領域４Ａの残りの部分と第２の領域４Ｂが、指針５および表示部７より後方に位置するように、第１の領域４Ａおよび第２の領域４Ｂが、連続的に外周側から中心方向へ徐々に沈んで視認される構成としても良い。
【００６１】
また、図２２の模式図で示すように、第１の領域４Ａが、表示部７の手前に位置し、かつ、第２の領域４Ｂが、指針５および表示部７より後方に位置するように、第１の領域４Ａおよび第２の領域４Ｂが、連続的に外周側から中心方向へ徐々に沈んで視認される構成としても良い。
【００６２】
また、図２３の模式図で示すように、第１の領域４および第２の領域４Ｂが、指針５および表示部７より手前に位置するように、連続的に外周側から中心方向へ徐々に沈んで視認される構成としても良い。
【００６３】
次に、本発明の文字板の第３実施形態について説明する。
【００６４】
この第３実施形態に係る文字板４は、図２４の平面図で示すように、透明性基材６により半ドーナツ状に形成されており、目盛７ａ等からなる表示部７が文字板４の指示範囲に応じて円弧状に配置されている。
【００６５】
文字板４は、図２４のＸ−Ｘ線断面図である図２５に示すように、透明性基材６の表面６ａの全体には、複数の正円形の網点１３ａを透明性基材６の外周側から中心に向かう方向に次第にピッチが小さくなる網目状に規則的に配列した黒色の第５模様１３がグラディエーション印刷により形成されており、裏面６ｂの全体には、同様に、複数の正円形の網点１４ａを透明性基材６の外周側から中心に向かう方向に次第にピッチが小さくなる網目状に規則的に配列した黒色の第６模様１４がグラディエーション印刷により形成されている。
【００６６】
このように構成された第３実施形態の文字板４では、第５模様１３及び第６模様１４により、図３に示す第１実施形態の文字板４と同様に視覚上で、文字板４を構成する透明性基板６が、あたかも外周から中心に向かう方向に次第に後方に遠ざかるように傾斜しているかのごとく立体視される。
【００６７】
また、上述の第３の実施形態において、文字板４は、透明性基材６の表面６ａの全体に、複数の正円形の網点１３ａを透明性基材６の外周側から中心に向かう方向に次第にピッチが大きくなる網目状に規則的に配列した黒色の第５模様１３がグラディエーション印刷により形成され、裏面６ｂの全体に、同様に、複数の正円形の網点１４ａを透明性基材６の外周側から中心に向かう方向に次第にピッチが大きくなる網目状に規則的に配列した黒色の第６模様１４がグラディエーション印刷により形成されるように構成しても良い。
【００６８】
このように構成された文字板４では、視覚上で、文字板４を構成する透明性基板６が、あたかも外周から中心に向かう方向に次第に手前に近づくように傾斜しているかのごとく立体視される。
【００６９】
さらに、上述の第３の実施形態では、グラディエーション印刷によるピッチを様々に変化させることにより、以下に説明する種々の変形が可能である。
【００７０】
たとえば、図２６の模式図で示すように、文字板４を構成する透明性基材６が、指針５および表示部７より連続的に外周側から中心方向へ徐々に後方に湾曲して遠ざかるように視認される構成としても良い。
【００７１】
また、図２７の模式図で示すように、文字板４を構成する透明性基材６の外周から中間付近の部分が表示部７より手前に位置し、かつ文字板４を構成する透明性基材６の中間付近から中心の部分が指針５のすぐ背後に位置するように、連続的に外周側から中心方向へ徐々に湾曲して遠ざかるごとく視認される構成としても良い。
【００７２】
また、図２８の模式図で示すように、文字板４を構成する透明性基材６が、指針５および表示部７より連続的に中心から外周側方向へ徐々に後方に湾曲して遠ざかるように視認される構成としても良い。
【００７３】
また、図２９の模式図で示すように、文字板４を構成する透明性基材６の外周から中間付近の部分が表示部７の背後に位置し、かつ文字板４を構成する透明性基材６の中間付近から中心の部分が指針５の手前に位置するように、連続的に外周側から中心方向へ徐々に湾曲して近づくごとく視認される構成としても良い。
【００７４】
さらに、図３０の模式図で示すように、文字板４を構成する透明性基材６が、指針５および表示部７より後方であって、かつ連続的に外周および中心から中間付近へ徐々に後方に湾曲して遠ざかるように視認される構成としても良い。
【００７５】
次に、本発明の文字板の第４実施形態について説明する。
【００７６】
上述の第１実施形態乃至第３実施形態では、ステレオグラム作用を生じるステレオグラムパターンにより立体感を出しているが、この第４実施形態に係る文字板４は、モアレ現象を利用して立体感を出すものである。
【００７７】
第４実施形態の文字板４は、図３１の文字板４の要部拡大横断面図で示されている。透明性基材６の表面６ａには、複数のドット１５ａを等ピッチで網目状に規則的に配列した黒色の第１模様１５が印刷により形成されている。また、透明性基材６の裏面６ｂには、外側から中心に向けて同心円的境界線で区切られる６つの領域４Ａ，４Ｂ，４Ｃ，４Ｄ，４Ｅ，４Ｆに、それぞれ、第１模様１５と同一の大きさの複数の菱形のドット１６ａを第１模様１５と同一の等ピッチで網目状に規則的に配列した黒色の第２模様１６、第１模様１５と同一の大きさの複数の菱形のドット１７ａを第１模様１５と同一の等ピッチで網目状に規則的に配列した黒色の第３模様１７、第１模様１５と同一の大きさの複数の菱形のドット１８ａを第１模様１５と同一の等ピッチで網目状に規則的に配列した黒色の第４模様１８、第１模様１５と同一の大きさの複数の菱形のドット１９ａを第１模様１５と同一の等ピッチで網目状に規則的に配列した黒色の第５模様１９、第１模様１５と同一の大きさの複数の菱形のドット２０ａを第１模様１５と同一の等ピッチで網目状に規則的に配列した黒色の第６模様２０、および第１模様１５と同一の大きさの複数の菱形のドット２１ａを第１模様１５と同一の等ピッチで網目状に規則的に配列した黒色の第７模様２１が印刷により形成されている。
【００７８】
第２模様１６乃至第７模様２１の各ドット１６ａ，１７ａ，１８ａ，１９ａ，２０ａ，２１ａは、図３２に示すように、第１模様１５のドット１５ａに対してモアレ現象によるモアレ模様（たとえば、菱形）１６ａ′，１７ａ′，１８ａ′，１９ａ′，２０ａ′，２１ａ′を発生させるように、第１模様１５におけるドット１５ａのスクリン線数に対してそれぞれ異なるスクリン線数を有する。
【００７９】
そこで、たとえば、第１模様１５のスクリン線数を７５線とし、第２模様１６乃至第７模様２１のスクリン線数を、それぞれ、７５線、７４線、７３線、７２線、７１線、７０線とした場合、文字板４を透明性基材６の表面６ａ側から見ると、第１模様１５と第２模様１６によるモアレ現象で生じるモアレ模様１６ａ′が浮き上がって視認され、第１模様１５と第３模様１７によるモアレ現象で生じるモアレ模様１７ａ′が、モアレ模様１６ａ′よりさらに浮き上がって視認される。以下同様に、第１模様１５と第４模様１８によるモアレ模様１８ａ′、第１模様１５と第５模様１９によるモアレ模様１９ａ′、第１模様１５と第６模様２０によるモアレ模様２０ａ′、第１模様１５と第７模様２１によるモアレ模様２１ａ′が次第に高く浮き上がって視認される。なお、図３２では、モアレ模様は、例示として各領域にそれぞれ４個示されているが、実際には、各領域の半径方向の幅に最低１個（または、２、３個）視認され、円周方向に多数個視認されるように構成している。
【００８０】
このように、第１模様１５のスクリン線数よりも第２模様１６乃至第７模様２１のスクリン線数を少なくし、かつ第１模様１５のスクリン線数と第２模様１６乃至第７模様２１とのスクリン線数の差が次第に大きくなるように印刷形成した場合は、文字板４は、図３３の概念的斜視図および図３４の模式図に示すように、各領域モアレ模様が凸状に次第に浮き上がって視認される立体段差感が生じる。
【００８１】
一方、図示しないが、第１模様１５のスクリン線数よりも第２模様１６乃至第７模様２１のスクリン線数を多くし、かつ第１模様１５のスクリン線数と第２模様１６乃至第７模様２１とのスクリン線数の差が次第に大きくなるように印刷形成した場合は、文字板４は、モアレ模様が凹状に次第に沈んで視認される立体段差感が生じる。
【００８２】
また、第１模様乃至第７模様の各ドットの大きさを小さくしたり、透明性基材６の裏面６ｂにおいて外側から中心に向けて同心円的境界線で区切られる領域の数を増やしたりすることにより、モアレ模様の段差が小さくなり、より連続的になる。
【００８３】
したがって、第４実施形態によれば、モアレ模様により文字板４の中心から円周方向に浮き上がったり沈んだりするように立体感を持たせることができるので、ドットの大きさや領域数を任意に設定することにより、文字板４がたとえば、円錐、ドーム、皿、鉢などの形に立体的に視認される立体感を、モアレの１つ１つの模様で作り出すことができる。よって、モアレ模様をグラディエーション模様の１つとして立体感を出すことができる。
【００８４】
さらに、上述の第４の実施形態では、モアレ模様の大きさとピッチを様々に変化させることにより、以下に説明する変形が可能である。たとえば、図３５に示すように、領域４Ａから領域４Ｆの方へモアレ模様１６ａ′，１７ａ′，１８ａ′，１９ａ′，２０ａ′，２１ａ′が次第に大きくなりかつモアレ模様間のピッチが次第に密になるように印刷形成しても良い。この場合には、図３６の模式図に示すように、文字板４は、モアレ模様が凹状に沈んで視認される立体段差感が生じ、しかもグラディエーションらしさがさらに増し、より立体感が生じる。
【００８５】
また、透明性基材６の裏面６ｂにおいて外側から中心に向けて、図３４と逆に、領域４Ａから領域４Ｆの方へモアレ模様１６ａ′，１７ａ′，１８ａ′，１９ａ′，２０ａ′，２１ａ′の大きさが次第に小さくなりかつモアレ模様間のピッチが次第に粗になるように印刷形成しても良い。この場合には、図示しないが、文字板４は、モアレ模様が凸状に浮き上がって視認される立体段差感が生じ、同様に、グラディエーションらしさがさらに増し、より立体感が生じる。
【００８６】
このように、文字板４の中心でモアレ模様が粗で小さく、外周方向にいくにしたがってモアレ模様が密で大きくなるように、モアレ模様の大きさ、及び／またはモアレ模様間のピッチを変えて形成することにより、円錐、ドームなどの立体感を、よりグラディエーションさを増した形で出すことができる。また、モアレ模様１個（または２、３個）毎に立体感段差を出せるため、モアレ模様は文字板の柄としてではなく、グラディエーションの１つとして考えることができ、違和感がなくなる。さらに、モアレ模様の大きさを小さくしていくと、立体感段差が目立たなくなって連続的となる。
【００８７】
以上の通り、本発明の実施の形態について説明したが、本発明はこれに限らず、種々の変形、応用が可能である。
【００８８】
たとえば、上述の各実施形態では、各模様を構成する網点またはドットを正円状または菱形としたが、網点またはドットの形状は、これらに限らず正多角形や「×」印等任意であり、網点またはドットをいかなる形状としても、視覚上の段差を発生させて立体感を生じさせることができる。
【００８９】
さらに、第１模様８と第２模様９や、第３模様１０と第４模様１１は、互いに全く同じパターンとしてもよく、網点またはドットの寸法および網点またはドットどうしのピッチのうち少なくとも一方が異なる相似のパターンとしてもよい。
【００９０】
また、上述した各実施形態では、指針５により指示される表示部７が透過照明され、かつ、指針５自身も照明されて光輝する照明式の計器を例に取って説明したが、本発明は、照明式でない計器であっても、文字板上の目盛りを指針により指示する形式の車両用計器であれば適用可能である。
【００９１】
さらに、上述した各実施形態では、車両の速度計に本発明を適用した場合について説明したが、本発明は、車両の他の部分に関する状態を、文字板上の目盛りの指針による指示によって表示する車両用計器に広く適用可能であることは言うまでもない。
【００９２】
【発明の効果】
以上説明したように請求項１および２に記載した本発明の文字板によれば、文字板の表裏面に施された印刷のみに依り立体感を演出するため、安価に斬新な意匠を実現することができる。
【００９４】
また、文字板の第２の領域は、第１の領域より浮き上がったり沈んだりして視認され、斬新な意匠を実現することができる。
【００９６】
また、請求項３および４記載の発明の文字板によれば、安価な印刷により立体感にグラディエーション変化を付加することができる。
【００９９】
また、請求項５記載の発明の文字板によれば、文字板の表裏面に施された印刷のみに依りモアレ現象に基づく立体感を演出するため、安価に斬新な意匠を実現することができる。
【０１００】
また、請求項６記載の発明の文字板によれば、モアレ模様による立体感を、よりグラディエーションさを増した形で出すことができる。
【図面の簡単な説明】
【図１】本発明による文字板の第１の実施形態を適用した車両用計器の断面図である。
【図２】本発明による第１の実施形態の文字板の平面図である。
【図３】図２の文字板の要部拡大横断面図である。
【図４】図２の文字板における第１の領域と第２の領域との視覚上の位置関係の一例を示す模式図である。
【図５】図２の文字板における第１の領域と第２の領域との視覚上の位置関係の他例を示す模式図である。
【図６】本発明による文字板の第１の実施形態を適用した車両用計器の文字板における第１の領域と第２の領域との視覚上の位置関係の一例を示す模式図である。
【図７】本発明による文字板の第１の実施形態を適用した車両用計器の文字板における第１の領域と第２の領域との視覚上の位置関係の他例を示す模式図である。
【図８】本発明による文字板の第１の実施形態を適用した車両用計器の文字板における第１の領域と第２の領域との視覚上の位置関係の他例を示す模式図である。
【図９】本発明による文字板の第１の実施形態を適用した車両用計器の文字板における第１の領域と第２の領域との視覚上の位置関係の他例を示す模式図である。
【図１０】本発明による文字板の第１の実施形態を適用した車両用計器の文字板における第１の領域と第２の領域との視覚上の位置関係の他例を示す模式図である。
【図１１】本発明による文字板の第１の実施形態を適用した車両用計器の文字板における第１の領域と第２の領域との視覚上の位置関係の他例を示す模式図である。
【図１２】本発明による文字板の第１の実施形態を適用した車両用計器の文字板における第１の領域と第２の領域との視覚上の位置関係の他例を示す模式図である。
【図１３】本発明による文字板の第１の実施形態を適用した車両用計器の文字板における第１の領域と第２の領域との視覚上の位置関係の他例を示す模式図である。
【図１４】本発明による第２の実施形態の文字板の平面図である。
【図１５】図１４の文字板における第１の領域と第２の領域との視覚上の位置関係の一例を示す模式図である。
【図１６】図１４の文字板における第１の領域と第２の領域との視覚上の位置関係の他例を示す模式図である。
【図１７】本発明による文字板の第２の実施形態を適用した車両用計器の文字板における第１の領域と第２の領域との視覚上の位置関係の一例を示す模式図である。
【図１８】本発明による文字板の第２の実施形態を適用した車両用計器の文字板における第１の領域と第２の領域との視覚上の位置関係の他例を示す模式図である。
【図１９】本発明による文字板の第２の実施形態を適用した車両用計器の文字板における第１の領域と第２の領域との視覚上の位置関係の他例を示す模式図である。
【図２０】本発明による文字板の第２の実施形態を適用した車両用計器の文字板における第１の領域と第２の領域との視覚上の位置関係の他例を示す模式図である。
【図２１】本発明による文字板の第２の実施形態を適用した車両用計器の文字板における第１の領域と第２の領域との視覚上の位置関係の他例を示す模式図である。
【図２２】本発明による文字板の第２の実施形態を適用した車両用計器の文字板における第１の領域と第２の領域との視覚上の位置関係の他例を示す模式図である。
【図２３】本発明による文字板の第２の実施形態を適用した車両用計器の文字板における第１の領域と第２の領域との視覚上の位置関係の他例を示す模式図である。
【図２４】本発明による第３の実施形態の文字板の平面図である。
【図２５】図２４の文字板の要部拡大横断面図である。
【図２６】本発明による文字板の第３の実施形態を適用した車両用計器の文字板における各部の視覚上の位置関係の一例を示す模式図である。
【図２７】本発明による文字板の第３の実施形態を適用した車両用計器の文字板における各部の視覚上の位置関係の他例を示す模式図である。
【図２８】本発明による文字板の第３の実施形態を適用した車両用計器の文字板における各部の視覚上の位置関係の他例を示す模式図である。
【図２９】本発明による文字板の第３の実施形態を適用した車両用計器の文字板における第１の領域と第２の領域との視覚上の位置関係の他例を示す模式図である。
【図３０】本発明による文字板の第３の実施形態を適用した車両用計器の文字板における第１の領域と第２の領域との視覚上の位置関係の他例を示す模式図である。
【図３１】本発明による第４の実施形態の文字板の要部拡大横断面図である。
【図３２】図３１の文字板におけるモアレ模様の一例を説明する図である。
【図３３】図３１の文字板における立体段差感を説明するための概念的斜視図である。
【図３４】図３１の文字板における視覚上の位置関係の一例を示す模式図である。
【図３５】図３１の文字板におけるモアレ模様の他の例を説明する図である。
【図３６】図３５に示すモアレ模様による立体段差感を説明する模式図である。
【図３７】従来の視覚的に立体感を持たせることができる文字板の一例を示す平面図である。
【図３８】図３７の文字板の断面図である。
【符号の説明】
４      文字板
４Ａ    第１の領域
４Ｂ    第２の領域
６      透明性基材
７      表示部
７ａ    目盛
７ｂ    数字
８      第１模様
８ａ    網点
９      第２模様
９ａ    網点
１０    第３模様
１０ａ  網点
１１    第４模様
１１ａ  網点
１５    模様
１６    模様
１７    模様
１８    模様
１９    模様
２０    模様
２１    模様
【図１】
0004012684.tif 000002
【図２】
0004012684.tif 000003
【図３】
0004012684.tif 000004
【図４】
0004012684.tif 000005
【図５】
0004012684.tif 000006
【図６】
0004012684.tif 000007
【図７】
0004012684.tif 000008
【図８】
0004012684.tif 000009
【図９】
0004012684.tif 000010
【図１０】
0004012684.tif 000011
【図１１】
0004012684.tif 000012
【図１２】
0004012684.tif 000013
【図１３】
0004012684.tif 000014
【図１４】
0004012684.tif 000015
【図１５】
0004012684.tif 000016
【図１６】
0004012684.tif 000017
【図１７】
0004012684.tif 000018
【図１８】
0004012684.tif 000019
【図１９】
0004012684.tif 000020
【図２０】
0004012684.tif 000021
【図２１】
0004012684.tif 000022
【図２２】
0004012684.tif 000023
【図２３】
0004012684.tif 000024
【図２４】
0004012684.tif 000025
【図２５】
0004012684.tif 000026
【図２６】
0004012684.tif 000027
【図２７】
0004012684.tif 000028
【図２８】
0004012684.tif 000029
【図２９】
0004012684.tif 000030
【図３０】
0004012684.tif 000031
【図３１】
0004012684.tif 000032
【図３２】
0004012684.tif 000033
【図３３】
0004012684.tif 000034
【図３４】
0004012684.tif 000035
【図３５】
0004012684.tif 000036
【図３６】
0004012684.tif 000037
【図３７】
0004012684.tif 000038
【図３８】
0004012684.tif 000039